(57)【要約】【課題】子供の成長記録を簡単に管理することができる撮影装置を提供する。【解決手段】あらかじめ子供の名前と生年月日を登録しておく。撮影時に子供を選択すると、その子供の誕生日からの経過年月がタイマから取得される現在日時に基づいて算出される。撮影すると、選択した子供の誕生日からの経過年月と撮影日時に応じたメッセージデータがＥＥＰＲＯＭから読み出され、そのメッセージが撮影画像の所定位置に表示されるように合成される。【選択図】      図４
2005109569.tif 000002
【特許請求の範囲】
【請求項１】
レンズによって結像された被写体像を撮像素子で画像信号に変換し、所定の信号処理を施してモニタに表示するとともに、撮影ボタンから発せられる撮影信号に応動して撮影画像を記録媒体に記録する撮影装置において、
被写体の生年月日を入力する生年月日入力手段と、
現在日時を計測する計時手段と、
前記生年月日入力手段から入力された生年月日の情報と前記計時手段で計測された現在日時の情報とに基づいて前記被写体の誕生日からの経過年月を算出する経過年月演算手段と、
撮影日時と被写体の誕生日からの経過年月とに応じて撮影画像に写し込むデータが格納された写し込みデータ格納手段と、
前記計時手段で計測された撮影日時と前記経過年月演算手段で算出された経過年月とに基づいて対応するデータを前記写し込みデータ格納手段から読み出し、該データが所定のデータ写し込み位置に写し込まれるように撮影画像に合成する合成手段と、
を備えたことを特徴とする撮影装置。
【請求項２】
前記データ写し込み位置を設定するデータ写し込み位置設定手段を備えたことを特徴とする請求項１に記載の撮影装置。
【請求項３】
前記画像信号から撮影画像の肌色領域を検出する肌色領域検出手段を備え、
前記データ写し込み位置設定手段は、前記肌色検出手段で検出された肌色領域以外の領域に前記データ写し込み位置を設定することを特徴とする請求項２に記載の撮影装置。
【請求項４】
前記生年月日入力手段から入力された被写体の生年月日を複数記憶可能な生年月日記憶手段と、
前記生年月日記憶手段に記憶された生年月日を選択する生年月日選択手段と、
を備え、前記経過年月演算手段は、前記生年月日選択手段で選択された生年月日の情報と前記計時手段で計測された撮影時の日時情報とに基づいて被写体の誕生日からの経過年月を算出することを特徴とする請求項１、２又は３に記載の撮影装置。
【請求項５】
レンズによって結像された被写体像を撮像素子で画像信号に変換し、所定の信号処理を施してモニタに表示するとともに、撮影ボタンから発せられる撮影信号に応動して撮影画像を記録媒体に記録する撮影装置において、
前記モニタに前記被写体の大きさを計測するためのスケールを表示するスケール表示手段と、
前記レンズの倍率情報と前記撮像素子のサイズ情報とに基づいて前記スケール表示手段が表示するスケールの大きさを算出するスケール演算手段と、
を備えたことを特徴とする撮影装置。
【請求項６】
前記スケールが撮影画像の所定位置に写し込まれるように撮影画像に合成する合成手段を備えたことを特徴とする請求項５に記載の撮影装置。
【請求項７】
レンズによって結像された被写体像を撮像素子で画像信号に変換し、所定の信号処理を施してモニタに表示するとともに、撮影ボタンから発せられる撮影信号に応動して撮影画像を記録媒体に記録する撮影装置において、
前記モニタに被写体の全身を収めて撮影するための測定フレームを表示する測定フレーム表示手段と、
前記モニタに前記被写体の大きさを計測するためのスケールを表示するスケール表示手段と、
前記レンズの倍率情報と前記撮像素子のサイズ情報と前記測定フレームのサイズ情報とに基づいて前記被写体の身長を算出する身長演算手段と、
前記身長演算手段によって算出された身長を前記モニタの所定位置に表示する身長表示手段と、
を備えたことを特徴とする撮影装置。
【請求項８】
前記身長演算手段によって算出された身長が、撮影画像の所定位置に写し込まれるように撮影画像に合成する合成手段を備えたことを特徴とする請求項７に記載の撮影装置。
【発明の詳細な説明】
【技術分野】
【０００１】
本発明は撮影装置に係り、特に子供の成長記録の管理機能を備えた撮影装置に関する。
【背景技術】
【０００２】
子供の成長記録を写真に撮る場合には、子供の成長過程が一目で分かるようにするために、撮影距離を一定にし、一定倍率で撮影することが好ましい。このような観点から、特許文献１には、撮影距離を一定にして一定倍率で被写体を撮影できるカメラが提案されている。このカメラは測距装置を備え、その測距装置による被写体の測距情報が、カメラの撮影可能範囲内の所定の距離範囲内にある場合にのみシャッタ作動を行なうことができるようにしている。
【０００３】
また、この特許文献１では、成長記録の管理を容易にすべく、被写体の誕生日の情報を入力すると、その誕生日からの経過日数がプリント写真に印字されたり、あらかじめ日付と行事名を入力しておくと、その登録した日付に登録した行事名がプリント写真に印字されたりするようにしている。
【特許文献１】特開平１１−３０５３０３号公報
【発明の開示】
【発明が解決しようとする課題】
【０００４】
しかしながら、特許文献１のカメラは、単に撮影距離を一定にして一定倍率で撮影することができるだけであり、実際の大きさ（身長）までを写真から把握することはできないという欠点がある。
【０００５】
また、プリント写真に行事名等を印字するためには、あらかじめ日付と行事名を入力しておかなければならず、設定が面倒であるという欠点がある。
【０００６】
さらに、行事名等は常に一定位置に表示されるため、その表示位置に主要被写体が写されている場合などには、印字した行事名等が却って邪魔になるという欠点がある。
【０００７】
本発明は、このような事情に鑑みてなされたもので、子供の成長記録を簡単に管理することができる撮影装置を提供することを目的とする。
【課題を解決するための手段】
【０００８】
請求項１に係る発明は、前記目的を達成するために、レンズによって結像された被写体像を撮像素子で画像信号に変換し、所定の信号処理を施してモニタに表示するとともに、撮影ボタンから発せられる撮影信号に応動して撮影画像を記録媒体に記録する撮影装置において、被写体の生年月日を入力する生年月日入力手段と、現在日時を計測する計時手段と、前記生年月日入力手段から入力された生年月日の情報と前記計時手段で計測された現在日時の情報とに基づいて前記被写体の誕生日からの経過年月を算出する経過年月演算手段と、撮影日時と被写体の誕生日からの経過年月とに応じて撮影画像に写し込むデータが格納された写し込みデータ格納手段と、前記計時手段で計測された撮影日時と前記経過年月演算手段で算出された経過年月とに基づいて対応するデータを前記写し込みデータ格納手段から読み出し、該データが所定のデータ写し込み位置に写し込まれるように撮影画像に合成する合成手段と、を備えたことを特徴とする撮影装置を提供する。
【０００９】
本発明によれば、生年月日入力手段から被写体の生年月日を入力して撮影すると、計時手段によって計測される撮影時の日時情報から被写体の誕生日からの経過年月が経過年月演算手段によって算出される。そして、その誕生日からの経過年月と撮影日時に応じたデータが写し込みデータ格納手段から読み出され、撮影画像の所定位置に写し込まれるように合成手段によって撮影画像に合成される。このように、本発明によれば、被写体の誕生日からの経過年月に関連付けられたデータが撮影画像に写し込まれる。これにより、被写体となる子供の成長記録を簡単に管理することができる。
【００１０】
また、請求項２に係る発明は、前記目的を達成するために、前記データ写し込み位置を設定するデータ写し込み位置設定手段を備えたことを特徴とする請求項１に記載の撮影装置を提供する。
【００１１】
本発明によれば、撮影画像に写し込むデータのデータ写し込み位置をデータ写し込み位置設定手段によって設定変更することができる。これにより、主要被写体の邪魔にならない位置にデータを写し込むことができる。
【００１２】
また、請求項３に係る発明は、前記目的を達成するために、前記画像信号から撮影画像の肌色領域を検出する肌色領域検出手段を備え、前記データ写し込み位置設定手段は、前記肌色検出手段で検出された肌色領域以外の領域に前記データ写し込み位置を設定することを特徴とする請求項２に記載の撮影装置を提供する。
【００１３】
本発明によれば、撮像素子から得られた画像信号から肌色領域検出手段によって肌色領域が検出され、検出された肌色領域以外の領域にデータ写し込み位置が設定される。すなわち、被写体の顔を肌色領域として検出し、被写体の顔にかからないようにデータ写し込み位置が設定される。これにより、被写体の顔が写し込みデータによって覆われるという不具合を防止することができる。
【００１４】
また、請求項４に係る発明は、前記目的を達成するために、前記生年月日入力手段から入力された被写体の生年月日を複数記憶可能な生年月日記憶手段と、前記生年月日記憶手段に記憶された生年月日を選択する生年月日選択手段と、を備え、前記経過年月演算手段は、前記生年月日選択手段で選択された生年月日の情報と前記計時手段で計測された撮影時の日時情報とに基づいて被写体の誕生日からの経過年月を算出することを特徴とする請求項１、２又は３に記載の撮影装置を提供する。
【００１５】
本発明によれば、生年月日入力手段から入力した生年月日を生年月日記憶手段に登録しておくことができる。そして、撮影時に登録した生年月日を選択手段で選択して呼び出すことにより、その呼び出した生年月日に基づいて被写体の誕生日からの経過年月が算出される。これにより、使い勝手が向上する。
【００１６】
また、請求項５に係る発明は、前記目的を達成するために、レンズによって結像された被写体像を撮像素子で画像信号に変換し、所定の信号処理を施してモニタに表示するとともに、撮影ボタンから発せられる撮影信号に応動して撮影画像を記録媒体に記録する撮影装置において、前記モニタに前記被写体の大きさを計測するためのスケールを表示するスケール表示手段と、前記レンズの倍率情報と前記撮像素子のサイズ情報とに基づいて前記スケール表示手段が表示するスケールの大きさを算出するスケール演算手段と、を備えたことを特徴とする撮影装置を提供する。
【００１７】
本発明によれば、モニタに被写体の大きさ（身長）を計測するためのスケールが表示される。これにより、実際の被写体の大きさを把握することができる。
【００１８】
また、請求項６に係る発明は、前記目的を達成するために、前記スケールが撮影画像の所定位置に写し込まれるように撮影画像に合成する合成手段を備えたことを特徴とする請求項５に記載の撮影装置を提供する。
【００１９】
本発明によれば、被写体の大きさを計測するためのスケールが撮影画像に合成されて記憶手段に記録される。これにより、撮影後の画像を見てもスケールに基づいて実際の被写体の大きさを容易に把握することができる。
【００２０】
また、請求項７に係る発明は、前記目的を達成するために、レンズによって結像された被写体像を撮像素子で画像信号に変換し、所定の信号処理を施してモニタに表示するとともに、撮影ボタンから発せられる撮影信号に応動して撮影画像を記録媒体に記録する撮影装置において、前記モニタに被写体の全身を収めて撮影するための測定フレームを表示する測定フレーム表示手段と、前記モニタに前記被写体の大きさを計測するためのスケールを表示するスケール表示手段と、前記レンズの倍率情報と前記撮像素子のサイズ情報と前記測定フレームのサイズ情報とに基づいて前記被写体の身長を算出する身長演算手段と、前記身長演算手段によって算出された身長を前記モニタの所定位置に表示する身長表示手段と、を備えたことを特徴とする撮影装置を提供する。
【００２１】
本発明によれば、モニタに表示された測定フレームに被写体の全身が収まるように撮影すると、被写体の身長が身長演算手段によって算出され、モニタの所定位置に表示される。これにより、被写体の大きさを一目で把握することができる。
【００２２】
また、請求項８に係る発明は、前記目的を達成するために、前記身長演算手段によって算出された身長が、撮影画像の所定位置に写し込まれるように撮影画像に合成する合成手段を備えたことを特徴とする請求項７に記載の撮影装置を提供する。
【００２３】
本発明によれば、身長演算手段によって算出された身長のデータが、撮影画像の所定位置に写し込まれるように合成手段によって撮影画像に合成される。これにより、撮影後の画像を見ることによっても被写体の大きさを一目で把握することができる。
【発明の効果】
【００２４】
本発明によれば、被写体の誕生日からの経過年月に関連付けられたデータを撮影画像に写し込むことができるので、被写体となる子供の成長記録を簡単に管理することができる。また、撮影画像に写し込むデータの位置を調整できるので、主要被写体の邪魔にならない位置にデータを写し込むことができる。また、本発明によれば、被写体の大きさを計測するためのスケールが表示されるので、実際の被写体の大きさを容易に把握することができる。
【発明を実施するための最良の形態】
【００２５】
以下、添付図面に従って本発明に係る撮影装置を実施するための最良の形態について詳説する。
【００２６】
図１、図２は、それぞれ本発明が適用されたデジタルカメラ１０の一実施形態を示す正面図と背面図である。
【００２７】
カメラボディ１１の正面には、図１に示すように、レンズ１２、ストロボ１３、測距センサ１４等が設けられている。
【００２８】
レンズ１２は、沈胴式のズームレンズで構成されており、カメラの電源が投入されると、カメラボディ１１から繰り出される。
【００２９】
また、カメラボディ１１の側面には、図１及び図２に示すように、撮影ボタン１６、ズームレバー１７、ストロボボタン１８、マクロボタン１９等が設けられている。
【００３０】
撮影ボタン１６は、半押し時にＯＮするＳ１スイッチと、全押し時にＯＮするＳ２スイッチとを有する二段ストローク式のスイッチで構成されており、この撮影ボタン１６が半押しされると、ＡＥ／ＡＦが作動し、全押しされると、撮影が行なわれる。
【００３１】
ズームレバー１７は、撮影時に撮影画像のズーム（テレ／ワイド）を指示するボタンとして機能するとともに、再生時に表示画像のズーム（拡大／縮小）を指示するボタンとして機能する。このズームレバー１７は、上下方向にスライド自在に設けられており、上方向に操作することにより、ズームがテレ側（撮影時）又は拡大側（再生時）に操作され、下方向に操作することにより、ズームがワイド側（撮影時）又は縮小側（再生時）に操作される。
【００３２】
ストロボボタン１８は、撮影時にストロボモードの切り替えを指示するボタンとして機能し、マクロボタン１９は、撮影時にマクロ機能のＯＮ／ＯＦＦを指示するボタンとして機能する。
【００３３】
カメラボディ１１の背面には、図２に示すように、モニタ２０、表示ボタン２１、メニュー／ＯＫボタン２２、十字ボタン２３、ＢＡＣＫボタン２４、電源ボタン２５、モードスイッチ２６等が設けられている。
【００３４】
モードスイッチ２６は、カメラのモードを切り替えるスイッチとして機能し、このモードスイッチ２６をスライド操作することにより、カメラのモードが「オート撮影モード」と「子供撮影モード」と「再生モード」のいずれか１つに設定される。ここで、「オート撮影モード」は、ピント合わせ、露出制御、ホワイトバランス制御等を自動で行なって撮影するモードであり、「子供撮影モード」は、子供の成長記録を目的とした撮影を行なうモードである。
【００３５】
モニタ２０は、カラー表示可能な液晶ディスプレイで構成されており、記録済み画像の表示画面として利用されるとともに、ユーザインターフェースの表示画面として利用される。また、撮影時には画角確認用の電子ファインダとして使用される。表示ボタン２１は、このモニタ２０の表示内容の切り替えを指示するボタンとして機能する。
【００３６】
メニュー／ＯＫボタン２２は、各モードの通常画面からメニュー画面への遷移を指示するメニューボタンとして機能するとともに、選択内容の確定（登録）や処理実行（確認）を指示するＯＫボタンとして機能する。
【００３７】
十字ボタン２３は、上下左右四方向の指示を入力するボタンとして機能し、メニュー画面などから所望の項目を選択したり、各メニューにおける各種設定項目の選択内容を指示する際に使用される。
【００３８】
ＢＡＣＫボタン２４は、入力操作のキャンセル等を指示するボタンとして機能し、各種設定操作等を途中でやめるときなどに使用される。
【００３９】
なお、図示しないカメラボディの底面には、メディアスロットが設けられており、このメディアスロットに記録メディアが着脱自在に装着される。
【００４０】
図３は、本発明が適用されたデジタルカメラの内部構成を示すブロック図である。このデジタルカメラ１０は、全体の動作を中央処理装置（ＣＰＵ）３０によって統括制御されている。 ＣＰＵ３０は、カメラボディ１１に設けられた操作部（撮影ボタン１６、ズームレバー１７、ストロボボタン１８、マクロボタン１９、表示ボタン２１、メニュー／ＯＫボタン２２、十字ボタン２３、ＢＡＣＫボタン２４、電源ボタン２５、モードスイッチ２６等）２８からの入力信号に基づいて各回路を制御し、レンズ駆動制御、撮影動作制御、画像処理制御、画像データの記録／再生制御、モニタ２０の表示制御などを行うとともに、自動露出（ＡＥ）演算、自動焦点調節（ＡＦ）演算、ホワイトバランス（ＷＢ）調整演算、経過年月演算などの各種演算処理を実行する。
【００４１】
バス３１を介してＣＰＵ３０と接続されたＲＯＭ３２には、ＣＰＵ３０が実行するプログラム及び制御に必要な各種データ等が格納されており、ＥＥＰＲＯＭ３３には、ＣＣＤ画素欠陥情報、カメラ動作に関する各種定数／情報等が格納されている。また、メモリ（ＳＤＲＡＭ）３４は、プログラムの展開領域及びＣＰＵ３０の演算作業用領域として利用されるとともに、画像データの一時記憶領域として利用される。ＶＲＡＭ３５は、画像データ専用の一時記憶メモリであり、Ａ領域とＢ領域が含まれている。
【００４２】
まず、このデジタルカメラ１０の「オート撮影モード」下における撮影処理動作について説明する。
【００４３】
モードスイッチ２６によって「オート撮影モード」が選択されると、カラーＣＣＤ固体撮像素子（以下ＣＣＤと記載）３８を含む撮像部に電源が供給され、オート撮影モードでの撮影が可能になる。
【００４４】
撮影ボタン１６が半押しされると、ＣＰＵ３０は、ＡＥ・ＡＦ処理を開始する。すなわち、レンズ１２を通過した光がＣＣＤ３８の受光面に結像される。ＣＣＤ３８の受光面には、多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ３８は、各フォトダイオードの電荷蓄積時間（シャッタースピード）を制御する電子シャッタ機能を有しており、ＣＰＵ３０は、タイミングジェネレータ５０を介してＣＣＤ３８での電荷蓄積時間を制御する。
【００４５】
ＣＣＤ３８の受光面に結像された被写体像は、各フォトダイオードによって入射光量に応じた量の信号電荷に変換される。各フォトダイオードに蓄積された信号電荷は、ＣＰＵ３０からのコマンドに従いタイミングジェネレータ（ＴＧ）５０から与えられる駆動パルスに基づいて信号電荷に応じた電圧信号（画像信号）として順次読み出される。
【００４６】
ＣＣＤ３８から出力された信号はアナログ処理部（ＣＤＳ／ＡＭＰ）５２に送られ、ここで画素ごとのＲ、Ｇ、Ｂ信号がサンプリングホールド（相関二重サンプリング処理）され、増幅された後、Ａ／Ｄ変換器５４に加えられる。そして、Ａ／Ｄ変換器５４によってデジタル信号に変換された点順次のＲ、Ｇ、Ｂ信号が、画像入力コントローラ５６を介してＡＥ／ＡＷＢ検出回路６４に入力される。
【００４７】
ＡＥ／ＡＷＢ検出回路６４は、１画面を複数のエリア（たとえば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路６４から得た積算値に基づいて被写体の明るさ（被写体輝度）を検出し、撮影に適した露出値（撮影ＥＶ値）を算出する。求めた露出値と所定のプログラム線図に従って絞り値とシャッタスピード（電荷蓄積時間）が決定され、これに従いＣＰＵ３０は、ＣＣＤ３８の電子シャッタ及びレンズ１２に組み込まれた絞りの絞り駆動部４２を制御して適正な露光量を得る。
【００４８】
ＡＥ／ＡＷＢ検出回路６４は、ホワイトバランス調整時には、分割エリアごとにＲＧＢ信号の色別の平均積算値を算出し、Ｒの積算値、Ｂの積算値、Ｇの積算値に基づいて被写体の色温度の検出（又は色温度に対応する光源種の判別）を行う。
【００４９】
また、ＣＰＵ３０は、ＡＥ／ＡＷＢ検出回路６４から得た被写体の明るさ及び色温度を示す撮影条件に基づいてＥＥＰＲＯＭ３３から対応する画像処理条件を読み出し、この読み出した画像処理条件を画像信号処理回路５８における処理条件パラメータ値として設定する。
【００５０】
本デジタルカメラ１０におけるレンズ１２のＡＦ制御は、被写体に向け赤外光を投射し、その反射光を検知して被写体にピントを合わせる、いわゆるアクティブ方式のＡＦ制御が適用されている。
【００５１】
カメラボディ１１の前面に設けられた測距センサ１４は、被写体に向け赤外光を投光するＡＦ投光部１４Ａと、その反射光を受光するＡＦ受光部１４Ｂとで構成されており、その動作をＣＰＵ３０からのコマンドに基づいて測距センサ制御回路６２によって制御されている。
【００５２】
測距センサ１４から得られた検出信号は、測距センサ制御回路６２を介してＣＰＵ３０に伝達される。ＣＰＵ３０は、この測距センサ１４からの検出信号に基づいて被写体までの距離（被写体距離）を検出する。そして、得られた被写体距離情報とフォーカスレンズ位置センサ４４Ａから得られるレンズ１２のフォーカスレンズ位置情報とに基づいてフォーカスレンズ駆動部４４を制御し、被写体にピントが合うようにレンズ１２のフォーカスレンズを移動させる。
【００５３】
なお、レンズ１２のズーム制御は、ズームレバー１７から入力される操作信号とズームレンズ位置センサ４６Ａから得られるズームレンズの位置情報とに基づいてズームレンズ駆動部４６を制御し、ズームレバー１７の操作量に応じてズームレンズを移動させる事により行なわれる。
【００５４】
撮影ボタン１６が全押しされると、記録用の撮影動作がスタートし、ＣＣＤ３８からアナログ処理部５２、Ａ／Ｄ変換器５４、画像入力コントローラ５６を介して点順次のＲ、Ｇ、Ｂデータ（ＣＣＤ−ＲＡＷデータ）がメモリ３４に入力される。
【００５５】
画像信号処理回路５８は、メモリ３４に記憶されたＣＣＤ−ＲＡＷデータをＣＰＵ３０からのコマンドに従って処理する。すなわち、画像信号処理回路５８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３４を活用しながら入力画像を処理する。
【００５６】
画像信号処理回路５８で画像処理され、輝度・色差信号生成回路によりＲ、Ｇ、Ｂデータから輝度信号（Ｙ信号）及び色差信号（Ｃr 、Ｃb 信号）に変換されたＹ／Ｃ信号は、メモリ３４に格納される。メモリ３４に格納されたＹ／Ｃ信号は、圧縮伸張処理回路６６によってＪＰＥＧのフォーマットに従って圧縮された後、メディアコントローラ６８を介して記録メディア７０に記録される。記録メディア７０の形態は特に限定されず、xD-PictureCard（商標）、スマートメディア（商標）に代表される半導体メモリカード、可搬型小型ハードディスク、磁気ディスク、光ディスク、光磁気ディスクなどの種々の記録媒体を用いることができる。メディアコントローラ６８は、記録メディア７０に適した入出力信号の受渡しを行うために所要の信号変換を行う。
【００５７】
なお、デジタルカメラ１０は、現在日時を計測するためのタイマ７２を備えており、このタイマ７２から得られた現在日時情報に基づいて撮影日時のデータが画像データと共に画像ファイルに記録される。
【００５８】
撮影画像をモニタ２０に出力する場合は、ＶＲＡＭ３５から画像データが読み出され、バス３１を介してビデオエンコーダ６０に送られる。ビデオエンコーダ６０は、入力されたＹ／Ｃ信号を表示用の所定方式の信号（たとえば、ＮＴＳＣ方式のカラー複合映像信号）に変換してモニタ２０に出力する。すなわち、ＣＣＤ３８から出力される画像信号によって、１コマ分の画像を表す画像データがＶＲＡＭ３５のＡ領域とＢ領域とで交互に書き換えられる。ＶＲＡＭ３５のＡ領域及びＢ領域のうち、画像データが書き換えられている方の領域以外の領域から、書き込まれている画像データが読み出される。このようにしてＶＲＡＭ３５内の画像データが定期的に書き換えられ、その画像データから生成される映像信号がモニタ２０に供給されることにより、撮像中の映像がリアルタイムにモニタ２０に表示される。ユーザは、モニタ２０に表示される映像（スルー画像）によって撮影画角を確認できる。
【００５９】
モードスイッチ２６により「再生モード」が選択されると、記録メディア７０に記録されている最終の画像ファイル（最後に記録されたファイル）の圧縮データが読み出される。この読み出された圧縮データは、圧縮伸張処理回路６６を介して非圧縮のＹ／Ｃ信号に伸張され、画像信号処理回路５８及びビデオエンコーダ６０を介して表示用の信号に変換された後、モニタ２０に出力される。これにより、当該ファイルの画像内容がモニタ２０の画面上に表示される。静止画の一コマ再生中に、十字キーの右キー又は左キーを操作することによって、再生対象のファイルを切り換えることができる（順コマ送り／逆コマ送り）。コマ送りされた位置の画像ファイルが記録メディア７０から読み出され、上記と同様にして静止画がモニタ２０に再生表示される。
【００６０】
なお、デジタルカメラ１０は、モニタ２０上に文字等の情報を表示させるためのＯＳＤ（On Screen Display ）信号発生部７４を備えている。このＯＳＤ信号発生部７４は、キャラクタジェネレータを含み、シャッタ速度や絞り値、撮影可能枚数、撮影日時、警告メッセージ等の文字及び記号情報を表示するための信号を発生することができるとともに、フォーカスフレームや構図決定の目安となるアシスト線などの信号を発生することができる。このＯＳＤ信号発生部７４から出力される信号は、必要に応じて画像信号に混合されてモニタ２０に供給される。これにより、スルー画像や再生画像に文字等が合成された合成画像が表示される。
【００６１】
次に、「子供撮影モード」下でのデジタルカメラ１０の撮影、記録の処理動作について説明する。
「子供撮影モード」は、子供の成長記録を目的とした撮影を行なうモードであり、子供の名前と生年月日を登録すると、図４に示すように、撮影した画像に誕生日からの経過年月及び撮影日時に応じたメッセージが自動で写し込まれる。なお、これ以外の撮影処理動作は、オート撮影モードの時と同じである。
【００６２】
モードスイッチ２６にて「子供撮影モード」を選択すると、被写体となる子供の選択が行なわれる。子供の選択は、あらかじめ登録された中から行なわれる。したがって、子供の登録がなされていない場合は、まず、子供の登録が行なわれる。子供の登録は、図５に示すフローチャートに従って次の手順で行なわれる。
【００６３】
子供撮影モードの下でメニュー／ＯＫボタン２２が押されると、図６（ａ）に示すように、モニタ２０にメニュー画面が表示される。このメニュー画面に表示されるメニュー項目の中から「子供の登録」を選択する。なお、メニュー項目の選択は、たとえば画面上に表示されるカーソルを十字ボタン２３の操作にて選択しようとする項目のところに移動させることにより行い、メニュー／ＯＫボタン２２を押すことにより確定する。
【００６４】
メニュー項目の中から「子供の登録」が選択されると、図６（ｂ）に示すように、モニタ２０の画面表示が名前の入力画面に移行する。ユーザは、ここで子供の名前を入力する（ステップＳ１０）。名前の入力は、たとえば、次のように行なわれる。図６（ｂ）に示すように、モニタ２０に表示された名前の入力箇所には、文字を選択するための選択枠が表示される。選択枠には、片仮名が表示され、十字ボタン２３を上下方向に操作すると、その選択枠に表示される片仮名が５０音順に変化する。選択した文字の確定は、メニュー／ＯＫボタン２２を押すことにより行なわれ、確定すると、選択枠が次の入力位置に移動する。このようにして文字を順に入力して、子供の名前を入力する。なお、選択枠は、ＢＡＣＫボタン２４を押すことにより、一つ前の入力位置に戻り、入力した文字の修正が可能になる。また、入力の完了は、片仮名の５０音とともに選択枠に表示されるＥＮＤの文字を選択することにより行なわれる。
【００６５】
名前の入力が完了すると、図６（ｃ）に示すように、入力した名前の確認画面がモニタ２０に表示される。ユーザは、この表示に基づいて入力した名前の確認を行なう（ステップＳ１１）。そして、表示した名前に間違いがなければ、メニュー／ＯＫボタン２２を押し、間違っている場合は、ＢＡＣＫボタン２４を押す。ＢＡＣＫボタン２４が押された場合には、再び名前の入力画面に復帰する。
【００６６】
一方、メニュー／ＯＫボタン２２が押された場合には、図６（ｄ）に示すように、モニタ２０の画面表示が、生年月日の入力画面に移行する。ユーザは、ここで子供の生年月日を入力する（ステップＳ１２）。生年月日の入力は、たとえば、次のように行なわれる。図６（ｄ）に示すように、モニタ２０に表示された生年月日の入力箇所には、数字を選択するための選択枠が表示される。選択枠には、数字が表示され、十字ボタン２３を上下方向に操作すると、その選択枠に表示される数字が順に変化する。選択した数字の確定は、メニュー／ＯＫボタン２２を押すことにより行なわれ、確定すると選択枠が次の入力位置に移動する。このようにして、年、月、日の順に数字を入力して、子供の生年月日を入力する。なお、選択枠は、ＢＡＣＫボタン２４を押すことにより、一つ前の入力位置に戻り、入力した数字の修正が可能になる。また、入力は日の入力を確定した段階で完了する。
【００６７】
生年月日の入力が完了すると、図６（ｅ）に示すように、入力した生年月日の確認画面がモニタ２０に表示される。ユーザは、この表示に基づいて入力した生年月日の確認を行なう（ステップＳ１３）。そして、表示された生年月日に間違いがなければ、メニュー／ＯＫボタン２２を押し、間違っている場合は、ＢＡＣＫボタン２４を押す。ＢＡＣＫボタン２４が押された場合には、再び生年月日の入力画面に復帰する。
【００６８】
一方、メニュー／ＯＫボタン２２が押された場合には、図６（ｆ）に示すように、モニタ２０の画面表示が、登録情報の確認画面に移行する。ユーザは、この表示に基づいて入力した名前、生年月日を最終確認を行い登録の決定を行なう（ステップＳ１４）。表示された情報で登録する場合は、メニュー／ＯＫボタン２２を押し、登録を中止する場合は、ＢＡＣＫボタン２４を押す。ＢＡＣＫボタン２４が押された場合には、モニタ２０の表示が再び名前の入力画面に復帰する。
【００６９】
一方、メニュー／ＯＫボタン２２が押された場合には、入力された情報で子供の登録処理が行なわれる（ステップＳ１５）。ここで、入力された情報は、１件ずつ登録番号（登録No）を付与されて管理され、ＥＥＰＲＯＭ３３の登録情報記録領域に記録される。
【００７０】
以上の手順で子供の登録が行なわれる。なお、複数人分の登録を行なう場合は、上記の処理を繰り返し実行する。
【００７１】
次に、登録された子供を選択する手順について図７に示すフローチャートに従って説明する。
【００７２】
上記のように、カメラのモードを「子供撮影モード」に設定すると、子供の選択が行なわれる（ステップＳ２１）。まず、図８（ａ）に示すように、モニタ２０に子供の選択画面が表示される。この子供の選択画面は、たとえば既に登録されている子供の名前が登録番号と共に表示され、表示された中から選択するようにされている。選択は、たとえば画面上に表示されるカーソルを十字ボタン２３の操作で選択しようとする登録番号のところに移動させることにより行い、メニュー／ＯＫボタン２２を押すことにより確定する。
【００７３】
子供の選択が行なわれると、図８（ｂ）に示すように、モニタ２０に選択された子供の登録情報が表示される。ユーザは、この表示に基づいて選択した内容の確認を行い、選択を確定する（ステップＳ２２）。
【００７４】
ここで、選択を確定する場合は、メニュー／ＯＫボタン２２を押し、選択をやり直す場合は、ＢＡＣＫボタン２４を押す。ＢＡＣＫボタン２４が押された場合には、モニタ２０の表示が再び子供の選択画面に復帰する。
【００７５】
一方、メニュー／ＯＫボタン２２が押された場合には、子供の選択が確定する。子供の選択が確定すると、ＣＰＵ３０は、選択された子供の生年月日の情報とタイマ７２から得られる現在日時の情報に基づいて、選択された子供の誕生日からの経過年月を演算する。たとえば、選択された子供の生年月日が２００２年１０月１０日で現在日時が２００３年１０月１０日の場合、経過年月は１年となる。そして、この算出した誕生日からの経過年月及び撮影日時に基づいて撮影、記録処理が行なわれる。
【００７６】
次に、「子供撮影モード」での撮影、記録処理の手順を図９に示すフローチャートに従って説明する。
【００７７】
上述したように、「子供撮影モード」では、撮影画像に子供の誕生日からの経過年月に応じたメッセージが自動的に記録される。したがって、撮影処理自体は、上述した「オート撮影モード」の場合と同じである。すなわち、撮影ボタン１６の半押しでＡＥ・ＡＦ処理が行なわれ、全押しで撮影が行なわれる。
【００７８】
撮影ボタン１６が全押しされ、撮影の指示が入力されると（ステップＳ３１）、ＣＰＵ３０からのコマンドに従ってＣＣＤ３８からアナログ処理部５２、Ａ／Ｄ変換器５４、画像入力コントローラ５６を介して点順次のＲ、Ｇ、Ｂデータ（ＣＣＤ−ＲＡＷデータ）がメモリ３４に取り込まれ、画像信号処理回路５８で所定の信号処理が施される。画像信号処理回路５８で信号処理された画像データは、メモリ３４に格納されると共にＶＲＡＭ３５に加えられ、図１０（ａ）に示すように、ビデオエンコーダ６０を介してモニタ２０にプレビュー画像として出力される（ステップＳ３２）。
【００７９】
ユーザは、このプレビュー画像を見て、ピント状態や構図を確認し、記録メディア７０に記録するか否かを判断する（ステップＳ３３）。
【００８０】
ここで、撮影画像を記録メディア７０に記録する場合は、メニュー／ＯＫボタン２２を押し、記録しない場合はＢＡＣＫボタン２４を押す。ＢＡＣＫボタン２４が押された場合は、撮影スタンバイ状態に復帰する。
【００８１】
一方、メニュー／ＯＫボタン２２が押された場合、ＣＰＵ３０は、メッセージの合成処理を行なう。
【００８２】
すなわち、ＣＰＵ３０は、選択した子供の誕生日からの経過年月及び撮影日時の情報に基づいて撮影画像に写し込むメッセージのデータをＲＯＭ３２から読み出し、選択した子供の名前と共に撮影画像に合成する。このメッセージは、経過年月及び撮影日時に対応付けられてＲＯＭ３２に格納されており、ＣＰＵ３０は、経過年月及び撮影日時に対応するメッセージのデータをＲＯＭ３２から読み出す。たとえば、経過年月６ヶ月に対して「６ヶ月」、２年に対して「２歳  誕生日」等のメッセージのデータが経過年月対応付けられてＲＯＭ３２に格納されている。撮影日時３月３日に対して「ひなまつり」、５月５日に対して「子供の日」等のメッセージのデータが撮影日時に対応付けられてＲＯＭ３２に格納されている。
【００８３】
なお、メッセージのデータは、一つの経過年月又は撮影日時に対して複数記録されていてもよく、この場合、読み出す優先順位が定められている。たとえば、経過年月２年に対して「２歳  誕生日」、「２歳」、「誕生日」、「２歳  ＢＩＲＴＨＤＡＹ」等の複数のメッセージのデータが記録されており、「２歳  誕生日」→「２歳」→「誕生日」→「２歳  ＢＩＲＴＨＤＡＹ」の順で読み出されるようにされている。
【００８４】
また、すべての撮影日時に対してメッセージのデータを用意しておく必要はなく、主要な行事のある日時についてのみメッセージのデータを用意しておいてもよい。撮影日時に対してメッセージのデータがない場合は経過年月に対応するメッセージのデータのみが読み出される。
【００８５】
ＲＯＭ３２から読み出されたメッセージのデータと選択した子供の名前のデータは、メモリ３４に格納された撮影画像の画像データとともに画像信号処理回路５８に加えられ、撮影画像の所定の位置（ここでは、下部中央）に表示されるように撮影画像の画像データに合成される。
【００８６】
合成された画像データは、メモリ３４に格納されると共にＶＲＡＭ３５に加えられ、図１０（ｂ）に示すように、ビデオエンコーダ６０を介してモニタ２０にプレビュー画像として出力される。
【００８７】
ユーザは、このプレビュー画像を見て、合成されたメッセージでよいか否かを判断する（ステップＳ３４）。そして、合成されたメッセージでよければ、メニュー／ＯＫボタン２２を押し、異なるメッセージを希望する場合はＢＡＣＫボタン２４を押す。
【００８８】
ＢＡＣＫボタン２４が押された場合、ＣＰＵ３０は、経過年月及び撮影日時に対応する次のメッセージのデータをＲＯＭ３２から読み出し、撮影画像のデータに合成する。そして、合成した画像データをメモリ３４に上書きすると共にＶＲＡＭ３５に加え、ビデオエンコーダ６０を介してモニタ２０にプレビュー画像として出力する。ユーザは、このプレビュー画像を見て、合成されたメッセージを確認する。そして、合成されたメッセージでよければ、メニュー／ＯＫボタン２２を押し、異なるメッセージを希望する場合はＢＡＣＫボタン２４を押す。
【００８９】
このように、ＢＡＣＫボタン２４が押されるたびに新たなメッセージがＲＯＭ３２から読み出され、撮影画像に合成される。そして、図１１に示すように、モニタ２０上に順次異なるメッセージが合成された画像が表示される。ユーザは、気に入ったメッセージが合成された画像が表示されたところで、メニュー／ＯＫボタン２２を押す。
【００９０】
メニュー／ＯＫボタン２２が押されると、合成するメッセージ内容が確定する。そして、合成するメッセージの内容が確定すると、図１０（ｃ）に示すように、次に、メッセージの合成位置の確認が行なわれる（ステップＳ３５）。
【００９１】
ユーザは、現在モニタ２０に表示されている画像を見て、メッセージの表示位置を確認し、そのままの位置でよければ、メニュー／ＯＫボタン２２を押す。一方、異なる位置にメッセージを表示させることを希望する場合はＢＡＣＫボタン２４を押す。
【００９２】
ＢＡＣＫボタン２４が押された場合、ＣＰＵ３０はメッセージの位置を変更して撮影画像のデータに合成する。そして、合成した画像データをメモリ３４に上書きすると共にＶＲＡＭ３５に加え、ビデオエンコーダ６０を介してモニタ２０にプレビュー画像として出力する。ユーザは、このプレビュー画像を見て、合成されたメッセージの位置を確認し、メッセージの位置が適切か否かを判断する。そして、表示された位置でよければ、メニュー／ＯＫボタン２２を押し、異なる位置を希望する場合はＢＡＣＫボタン２４を押す。
【００９３】
このように、ＢＡＣＫボタン２４が押されるたびにメッセージの表示位置が変えられて、撮影画像に合成される。そして、図１２に示すように、異なる位置にメッセージが合成された画像が順次モニタ２０に表示される（たとえば、画像下部中央→画像上部中央→画像左側部中央→画像右側部中央の順にメッセージの表示位置が変えられる。）。ユーザは、気に入った位置にメッセージが合成された画像が表示されたところで、メニュー／ＯＫボタン２２を押す。
【００９４】
メニュー／ＯＫボタン２２が押されると、メッセージの表示位置が確定する。そして、その表示位置にメッセージが合成された画像データが、記録メディア７０に記録される（ステップＳ３６）。すなわち、メモリ３４に格納されたメッセージ合成後の画像データが、圧縮伸張処理回路６６によって圧縮された後、メディアコントローラ６８を介して記録メディア７０に記録される。
【００９５】
このように、本実施の形態のデジタルカメラ１０によれば、あらかじめ生年月日が登録された子供を選択して撮影することにより、その子供の誕生日からの経過年月と撮影日時に応じたメッセージが自動で撮影画像に合成され、記録される。これにより、面倒な設定を行なうことなく、子供の成長を簡単かつ効率的に画像として記録することができる。
【００９６】
なお、本実施の形態では、子供の名前と生年月日をあらかじめ登録しておき、撮影時に登録した子供の名前から被写体となる子供を選択するようにしているが、撮影のたびに生年月日を入力するようにしてもよい。
【００９７】
また、本実施の形態では、子供の名前と生年月日を関連付けて登録しているが、生年月日のみを登録しておき、その登録された生年月日を選択するようにしてもよい。
【００９８】
さらに、本実施の形態では、メッセージ内容及びメッセージの表示位置を変えられるようにしているが、誕生日からの経過年月と撮影日時に応じたメッセージを一定の表示位置に表示するようにしてもよい。
【００９９】
また、メッセージの表示位置を微調整できるようにしてもよい。たとえば、メッセージ位置確認のプレビュー画像（図１０（ｃ）参照）を表示させた状態で十字ボタン２３を操作すると、その十字ボタン２３の操作量に応じてメッセージの表示位置が移動するように構成する。
【０１００】
なお、メッセージは、被写体の顔にかからないように表示することが好ましい。そこで、メッセージが被写体の顔にかからないように自動で表示位置を変更するようにしてもよい。この場合、次のように、表示位置を調整する。すなわち、図１３（ａ）に示すように、得られた撮影画像から、同図（ｂ）に示すように、被写体の肌色のエリアを抽出し、その肌色エリアを被写体の顔と認定する。このとき、肌色エリアが複数存在する場合は、最大の肌色エリアを被写体の顔と認定する。また、肌色エリアの検出は、たとえば画像信号処理回路５８にてＹ／Ｃ変換した画像データの中で、７０≦Ｙ≦２００、１８≦Ｃｒ≦３８、−２８≦Ｃｂ≦−８の３条件を満足するエリアを肌色エリアと認定して検出する。
【０１０１】
そして、同図（ｃ）に示すように、検出した肌色エリアにメッセージがかからないようにメッセージを合成する。この場合、たとえば図１４の（ａ）〜（ｄ）に示す４つの位置（（ａ）画像下部中央、（ｂ）画像上部中央、（ｃ）画像左側部中央、（ｄ）画像右側部中央）にメッセージを合成したとき、肌色エリアにメッセージがかからない位置にメッセージを表示する。肌色エリアにメッセージがかからない位置が複数存在する場合は、メッセージが肌色エリアからもっとも離れている位置にメッセージを表示する。あるいはユーザに選択させる。
【０１０２】
このように、被写体の顔にかからないようにメッセージの表示位置を自動調節することにより、面倒な設定を行なうことなく、撮影画像に合成したメッセージで被写体の顔が隠れてしまうという不具合を防止することができる。
【０１０３】
なお、上記のように自動で表示位置を設定した場合も、その表示位置を微調整できるようにすることが好ましく、この場合、被写体の顔にかからないエリア（肌色エリア以外のエリア）内でメッセージを移動させるようにすることが好ましい。
【０１０４】
次に本発明に係るデジタルカメラの第２の実施の形態について説明する。本実施の形態のデジタルカメラは、被写体の身長の計測機能を備えたものである。なお、デジタルカメラの構成は上記の実施の形態と同じである。
【０１０５】
図１５（ａ）に示すように、カメラのモードを子供撮影モードに設定すると、モニタ２０にスルー画像と共に測定フレームが表示される。
【０１０６】
測定フレームは、矩形状の枠として表示され、スルー画像に重ねて表示される。ＣＰＵ３０は、子供撮影モードに設定されると、この測定フレームがスルー画像に重ねて表示されるように、ＯＳＤ信号発生部７４にコマンドを出力する。
【０１０７】
ユーザは、この測定フレームの間に被写体の全身がちょうど収まるようにフレーミングする。そして、撮影ボタン１６を半押しする。
【０１０８】
撮影ボタン１６が半押しされると、ＣＰＵ３０は、ＡＥ・ＡＦ処理を開始する。ＣＰＵ３０は、このＡＥ・ＡＦ処理の過程で測距センサ１４から得られる被写体距離の情報と、ズームレンズ位置センサ４６Ａから得られるレンズの焦点距離の情報と、ＣＣＤ３８のサイズ情報とに基づいて被写体の身長を求める。身長の算出は、たとえば次のように行なわれる。
【０１０９】
図１６（ａ）に示すように、レンズから被写体までの距離をＤ、レンズの焦点距離をｆとすると、レンズの倍率ＭはＭ＝Ｄ／ｆとなる。そして、ＣＣＤ上に結像される被写体の高さをＳ’とすると、被写体の高さ（身長）Ｓは、Ｓ＝Ｓ’×Ｍで求められる。
【０１１０】
たとえば、図１６（ｂ）に示すように、ＣＣＤのサイズを３０ｍｍ×２０ｍｍ、有効画素数を３０００画素×２０００画素とし、ＣＣＤ上における測定フレームの高さ方向の画素数、すなわち、ＣＣＤ上に結像される被写体の高さ方向の画素数を１５００画素とすると、ＣＣＤ上に結像される被写体の高さＳ’は、Ｓ’＝２０ｍｍ×（１５００／２０００）＝１５ｍｍで１５ｍｍとなる。
【０１１１】
そして、レンズから被写体までの距離ＤをＤ＝３０００ｍｍ、レンズの焦点距離ｆをｆ＝５０ｍｍとすると、レンズの倍率ＭはＭ＝Ｄ／ｆ＝３０００ｍｍ／５０ｍｍ＝６０となり、被写体の高さＳは、Ｓ＝Ｓ’×Ｍ＝１５ｍｍ×６０＝９００ｍｍで９０ｃｍとなる。
【０１１２】
なお、レンズから被写体までの距離Ｄは、測距センサ１４から得られる被写体距離Ｘ（Ｘ＝Ｄ＋ｆの情報と、ズームレンズ位置センサ４６Ａから得られるレンズの焦点距離ｆの情報とから求める。
【０１１３】
上記のようにして、被写体の身長が求まると、ＣＰＵ３０は、求めた身長がモニタ２０の所定位置に表示されるように、ＯＳＤ信号発生部７４にコマンドを出力する。この結果、図１５（ｂ）に示すように、スルー画像に重ねて被写体の身長が表示される。ユーザは、このモニタ２０の表示を見て被写体の身長を把握する。
【０１１４】
この後、撮影ボタン１６が全押しされると、記録用の撮影動作が行なわれる。すなわち、ＣＣＤ３８から画像データが取り込まれ、所定の信号処理を施されて記録メディア７０に記録される。ここで、この記録メディア７０に記録される撮影画像には、図１５（ｃ）に示すように、計測した身長のデータが所定の位置（たとえば撮影画像の右下）に合成される。
【０１１５】
このように、本実施の形態のデジタルカメラでは、撮影画像に実際の身長が合成されるため、撮影画像を見ただけで実際の被写体の大きさを把握することができ、子供の成長過程を容易に知ることができる。
【０１１６】
なお、本実施の形態では、計測した身長のデータを撮影画像に合成しているが、撮影画像には合成せず、画像ファイルのタグに記録し、再生時に必要に応じて表示するようにしてもよい。  
【０１１７】
次に本発明に係るデジタルカメラの第３の実施の形態について説明する。本実施の形態のデジタルカメラも上述した第２の実施の形態のデジタルカメラと同様に被写体の身長の計測機能を備えたものである。なお、デジタルカメラの構成は上記の第１の実施の形態と同じである。
【０１１８】
本実施の形態のデジタルカメラでは、カメラのモードを子供撮影モードに設定し、撮影ボタン１６を半押しすると、図１７に示すように、モニタ２０にスルー画像と共にスケールが所定位置（たとえば左隅）に表示される。
【０１１９】
スケールは、被写体の位置で被写体の大きさが計測できるように、たとえば５センチ間隔で目盛が振られたものであり、スルー画像に重ねて表示される。ＣＰＵ３０は、子供撮影モードに設定され、撮影ボタン１６が半押しされると、このスケールがスルー画像に重ねて表示されるように、ＯＳＤ信号発生部７４にコマンドを出力する。
【０１２０】
ここで、このスケールの大きさ（目盛の間隔）は、前記第２の実施の形態と同様に撮影ボタン１６の半押しによって測距センサ１４から得られる被写体距離の情報と、ズームレンズ位置センサ４６Ａから得られるレンズの焦点距離の情報と、ＣＣＤ３８のサイズ情報とに基づいて求められる。すなわち、レンズの倍率ＭとＣＣＤのサイズから１画素当りの被写体位置での寸法が分かるので、これに基づきスケールの大きさ（目盛の間隔）を求める。
【０１２１】
たとえば、前記同様にレンズの倍率ＭをＭ＝６０とし、ＣＣＤのサイズを３０ｍｍ×２０ｍｍ、有効画素数を３０００画素×２０００画素とすると、被写体の位置で１画素当りの寸法Ｌは、Ｌ＝６０×（２０ｍｍ／２０００）＝０．６ｍｍとなる。この情報に基づいて５センチ間隔で目盛を振るための目盛の表示間隔を求め、スルー画像に重ねて表示させる。
【０１２２】
ユーザは、このスルー画像に重ねて表示されたスケールから被写体の身長を把握することができる。
【０１２３】
この後、撮影ボタン１６が全押しされると、記録用の撮影動作が行なわれ、撮影画像が記録メディア７０に記録される。ここで、この記録メディア７０に記録される撮影画像には、所定の位置（たとえば撮影画像の右下）にスケールが合成される（図１７参照）。
【０１２４】
このように、本実施の形態のデジタルカメラでは、撮影画像にスケールが合成されるため、撮影画像を見ただけで実際の被写体の大きさを把握することができ、子供の成長過程を容易に知ることができる。
【０１２５】
なお、本実施の形態では、スケールを撮影画像に合成しているが、撮影画像には合成せず、画像ファイルのタグに記録し、再生時に必要に応じて表示するようにしてもよい。
【０１２６】
また、上記実施の形態では、被写体距離を赤外線を用いた測距センサにて計測しているが、被写体距離の検出は、レーザや超音波等を用いた他の公知の測距センサを用いてもよい。また、フォーカスレンズの位置情報から被写体距離を求めてもよい。
【０１２７】
また、上記実施の形態では、本発明をデジタルカメラに適用した場合を例に説明したが、本発明の適用は、これに限定されるものではなく、ビデオカメラや撮影機能を備えた携帯電話、ＰＤＡ、パーソナルコンピュータ等にも同様に適用することができる。
【０１２８】
なお、本実施の形態のデジタルカメラは、成長記録にのみ使用するものではなく、他の用途に使用することもできる。たとえば生物の成長記録や建物の高さ計測にも有効に利用することができる。
【図面の簡単な説明】
【０１２９】
【図１】本発明が適用されたデジタルカメラの一実施形態を示す正面図
【図２】本発明が適用されたデジタルカメラの一実施形態を示す背面図
【図３】本発明が適用されたデジタルカメラの内部構成を示すブロック図
【図４】子供撮影モードで撮影した画像の例を示す図
【図５】子供登録の処理手順を示すフローチャート
【図６】子供登録時のモニタの表示例を示す図
【図７】子供選択の処理手順を示すフローチャート
【図８】子供選択時のモニタの表示例を示す図
【図９】子供撮影モードにおける撮影、記録処理の手順を示すフローチャート
【図１０】メッセージ確認時のモニタの表示例を示す図
【図１１】メッセージ内容変更時のモニタの表示例を示す図
【図１２】メッセージ位置変更時のモニタの表示例を示す図
【図１３】肌色領域の検出結果に基づくメッセージ位置の設定方法の説明図
【図１４】肌色領域の検出結果に基づくメッセージ位置変更の変更方法の説明図
【図１５】第２の実施の形態のデジタルカメラのモニタの表示例を示す図
【図１６】身長の計測方法の説明図
【図１７】第３の実施の形態のデジタルカメラのモニタの表示例を示す図
【符号の説明】
【０１３０】
１０…デジタルカメラ、１１…カメラボディ、１２…レンズ、１３…ストロボ、１４…測距センサ、１４Ａ…ＡＦ投光部、１４Ｂ…ＡＦ受光部、１６…撮影ボタン、１７…ズームレバー、１８…ストロボボタン、１９…マクロボタン、２０…モニタ、２１…表示ボタン、２２…メニュー／ＯＫボタン、２３…十字ボタン、２４…ＢＡＣＫボタン、２５…電源ボタン、２６…モードスイッチ、３０…中央処理装置（ＣＰＵ）、３１…バス、３２…ＲＯＭ、３３…ＥＥＰＲＯＭ、３４…メモリ（ＳＤＲＡＭ）、３５…ＶＲＡＭ、３８…カラーＣＣＤ固体撮像素子（ＣＣＤ）、４２…絞り駆動部、４４…フォーカスレンズ駆動部、４４Ａ…フォーカスレンズ位置センサ、４６…ズームレンズ駆動部、４６Ａ…ズームレンズ位置センサ、５０…タイミングジェネレータ、５２…アナログ処理部（ＣＤＳ／ＡＭＰ）、５４…Ａ／Ｄ変換器、５８…画像信号処理回路、６０…ビデオエンコーダ、６２…測距センサ制御回路、６４…ＡＥ／ＡＷＢ検出回路、６６…圧縮伸張処理回路、６８…メディアコントローラ、７０…記録メディア、７２…タイマ
【図１】
2005109569.tif 000003
【図２】
2005109569.tif 000004
【図３】
2005109569.tif 000005
【図４】
2005109569.tif 000006
【図５】
2005109569.tif 000007
【図６】
2005109569.tif 000008
【図７】
2005109569.tif 000009
【図８】
2005109569.tif 000010
【図９】
2005109569.tif 000011
【図１０】
2005109569.tif 000012
【図１１】
2005109569.tif 000013
【図１２】
2005109569.tif 000014
【図１３】
2005109569.tif 000015
【図１４】
2005109569.tif 000016
【図１５】
2005109569.tif 000017
【図１６】
2005109569.tif 000018
【図１７】
2005109569.tif 000019